(57)【要約】【課題】製造効率が良い封止部を有する端子を提供する。【解決手段】電線Ｗの芯線６１が接続された電線接続部１１と、電線接続部１１に連結され、オス端子４０が接続される相手端子接続部２０と、相手端子接続部２０のオス端子４０が接触する位置に設けられ、液状化したものであり、且つ、大気に触れると時間硬化する軟質弾性樹脂材２３ａを封入した防食用封止体２３とを備えた。【選択図】図３
2018198159.tif 000002
【特許請求の範囲】
【請求項１】
電線の芯線が接続された電線接続部と、
前記電線接続部に連結され、相手端子が接続される相手端子接続部と、
前記相手端子接続部の前記相手端子が接触する位置に設けられ、液状化したものであり、且つ、大気に触れると時間硬化する軟質弾性樹脂材を封入した防食用封止体とを備えたことを特徴とする端子。
【請求項２】
請求項１記載の端子であって、
前記相手端子接続部は、前記相手端子が挿入される箱部を有し、前記箱部内に前記防食用封止体が配置されたことを特徴とする端子。
【請求項３】
請求項１又は請求項２記載の端子がコネクタハウジングの端子収容室に配置されたことを特徴とするコネクタ。
【請求項４】
請求項３記載のコネクタであって、
前記電線には防水栓が装着されており、前記防水栓が前記端子収容室を密閉していることを特徴とするコネクタ。
【発明の詳細な説明】
【技術分野】
【０００１】
本発明は、電線の芯線との接続箇所が封止された端子、及び、この端子を用いたコネクタに関する。
【背景技術】
【０００２】
この種の従来の端子として、特許文献１に開示されたものが提案されている。この端子５０は、図５に示すように、電線Ｗを接続する電線接続部５１を有する。電線接続部５１は、電線Ｗの芯線６１を加締め接続する芯線加締め部５２と、電線Ｗの絶縁外皮６２を加締め接続する外皮加締め部５３とを有する。電線接続部５１には、電線Ｗの露出された芯線６１と芯線加締め部５２の外周を共に覆う封止樹脂部５５が設けられている。封止樹脂部５５は、芯線６１と電線接続部５１の接触箇所に水が浸入することに起因するガルバニック腐食を防止する。
【０００３】
封止樹脂部５５の作製は、次の手順で行われる。先ず、電線接続部５１に封止樹脂を塗布する。次に、封止樹脂を加熱する。すると、封止樹脂が軟化して芯線６１と芯線加締め部５２の隙間及び芯線６１自体の隙間（芯線を構成する素線間）に浸透する等して芯線６１と芯線加締め部５２の外周を覆う。その後、封止樹脂を硬化させる硬化工程を行えば、封止樹脂部５５が作製される。
【先行技術文献】
【特許文献】
【０００４】
【特許文献１】特開２０１６−２２５１７１号公報
【発明の概要】
【発明が解決しようとする課題】
【０００５】
しかしながら、前記従来例の端子５０では、封止樹脂部５５を製作する作業工程が面倒であるため、製造効率が悪いという問題があった。
【０００６】
そこで、本発明は、前記した課題を解決すべくなされたものであり、製造効率が良い封止部を有する端子及びこの端子を用いたコネクタを提供することを目的とする。
【課題を解決するための手段】
【０００７】
本発明は、電線の芯線が接続された電線接続部と、前記電線接続部に連結され、相手端子が接続される相手端子接続部と、前記相手端子接続部の挿入される前記相手端子に接触する位置に配置され、液状化したものであり、且つ、大気に触れると時間硬化する軟質弾性樹脂材を封入した防食用封止体とを備えたことを特徴とする端子である。
【発明の効果】
【０００８】
本発明によれば、封止部を作製する工程としては、端子に防食用封止体を配置すれば良く、後は相手端子の挿入によって液状化した軟質弾性樹脂材が流れ出て、流れ出た軟質弾性樹脂材が硬化して封止部が作製される。従って、封止部を有する端子の製造効率が良い。
【図面の簡単な説明】
【０００９】
【図１】本発明の一実施形態を示し、コネクタ及び相手コネクタの分解斜視図である。
【図２】本発明の一実施形態を示し、（ａ）はメス端子の断面図、（ｂ）は（ａ）のＡ−Ａ線断面図である。
【図３】本発明の一実施形態を示し、オス端子とメス端子の嵌合状態の断面図である。
【図４】本発明の一実施形態を示し、オス端子とメス端子の嵌合し、封止部が形成された状態の断面図である。
【図５】従来例の端子の断面図である。
【発明を実施するための形態】
【００１０】
以下、本発明の実施形態を図面に基づいて説明する。
【００１１】
（一実施形態）
図１〜図４は本発明の一実施形態を示す。コネクタ１は、コネクタハウジング２とメス端子（端子）１０とを備えている。コネクタハウジング２は、複数の端子収容室３を有する。この端子収容室３にメス端子１０が位置決めされた状態で配置されている。尚、図１では、メス端子１０及びオス端子４０は、それぞれ１つのみ表示されている。
【００１２】
メス端子１０は、所定形状の板金を折り曲げることにより形成されている。メス端子１０は、電線Ｗが接続された電線接続部１１と、電線接続部１１に連結され、相手端子であるオス端子４０が接続される相手端子接続部２０とを備えている。
【００１３】
電線接続部１１は、底面部１２と、底面部１２の両側端より突出された一対の芯線加締め部１３と、一対の芯線加締め部１３より間隔を置いた位置で、底面部１２の両側端より突出された一対の外皮加締め部１４とを有する。一対の芯線加締め部１３には、電線Ｗの絶縁外皮６２を皮むきして露出された芯線６１が加締め接続されている。一対の外皮加締め部１４には、電線Ｗが絶縁外皮６２の上から加締め接続されている。一対の外皮加締め部１４は、電線Ｗの外周に装着された防水栓６３を共締めしている。防水栓６３は、端子収容室３を密閉している。これにより、電線引出側から水等が端子収容室３に浸入するのを防止している。
【００１４】
相手端子接続部２０は、電線接続部１１と底面部１２を介して連結されている。底面部１２は、その両側端に低い側壁１２ａを有する。
【００１５】
相手端子接続部２０は、直方体形の箱部２１を有する。箱部２１の後端にコネクタハウジング２側のランス（図示せず）が係止されている。メス端子１０は、ランス（図示せず））によって端子収容室３からの抜け止めがなされている。
【００１６】
箱部２１内には、バネ接触部２２が設けられている。箱部２１内の挿入されるタブ部４２が接触する位置には、防食用封止体２３が配置されている。防食用封止体２３には、液状化した軟質弾性樹脂材２３ａ（図３に示す）が封入されている。防食用封止体２３のゴム保護膜（符号を付さず）は、オス端子４０との接触で破れる。軟質弾性樹脂材２３ａは、大気に触れると時間硬化する樹脂材である。軟質弾性樹脂材２３ａは、塩化ビニル、シリコン等である。軟質弾性樹脂材２３ａの封止量は、下記する封止部２５を作製するに足る量である。
【００１７】
防食用封止体２３の設置位置は、タブ部４２がバネ接触部２２に接触した後に接触する位置であり、より詳細には、タブ部４２の挿入完了位置のわずか手前位置である。
【００１８】
相手コネクタ３０は、相手コネクタハウジング３１とオス端子４０とを備えている。相手コネクタハウジング３１は、複数の端子収容室３２を有する。この端子収容室３２にオス端子４０が位置決めされた状態で配置されている。
【００１９】
オス端子４０は、所定形状の板金を折り曲げることにより形成されている。オス端子４０は、電線Ｗが接続された電線接続部１１と、電線接続部１１に連結され、メス端子１０が接続される相手端子接続部であるタブ部４２と、電線接続部１１とタブ部４２との間に配置されたランス係止突部４３（図１に示す）とを備えている。
【００２０】
電線接続部１１は、メス端子のものと同一構成であるため、図面の同一構成箇所に同一符号を付して説明を省略する。
【００２１】
タブ部４２は、端子収容室３２より前方のコネクタ嵌合室３３に突出している。タブ部４２は、電線接続部１１と底面部１２を介して連結されている。タブ部４２は、ロッド形状である。
【００２２】
ランス係止突部４３（図１に示す）にコネクタハウジング３１側のランス（図示せず）が係止されている。オス端子４０は、ランス（図示せず））によって端子収容室３２からの抜け止めがなされている。
【００２３】
コネクタハウジング２が相手コネクタハウジング３１に嵌合されると、メス端子１０の箱部２１内にオス端子４０のタブ部４２が挿入される。挿入されるタブ部４２は、バネ接触部２２のバネ復帰力を接触荷重としてメス端子１０と接続される。
【００２４】
タブ部４２が箱部２１内に挿入される過程で、図３に示すように、タブ部４２の先端が防食用封止体２３に接触して防食用封止体２３が弾ける。すると、内部に封止されていた液状化した弾性樹脂材は、タブ部４２に押されることもあって、底面部１２を伝って電線接続部１１側に流れ込む。電線接続部１１側に流れ込んだ弾性樹脂材は、重力、毛細現象等によって芯線６１と芯線加締め部１３の外周を流れて芯線６１と芯線加締め部１３の外周を覆う。又、弾性樹脂材は、毛細現象等によって芯線６１と芯線加締め部１３の隙間及び芯線６１自体の隙間（芯線６１を構成する素線間）に浸透する。弾性樹脂材は、図４に示すように、大気に触れてからの時間経過によって硬化し、封止部２５が形成される。
【００２５】
以上説明したように、メス端子１０は、電線Ｗの芯線６１が接続された電線接続部１１と、電線接続部１１に連結され、オス端子４０が接続される相手端子接続部２０と、相手端子接続部２０のオス端子４０が接触する位置に配置され、大気に触れると時間硬化する液状化した軟質弾性樹脂材２３ａを封入した防食用封止体２３とを備えている。
【００２６】
従って、封止部２５を作製する工程としては、メス端子１０に防食用封止体２３を配置すれば良い。後はオス端子４０の挿入によって液状化した軟質弾性樹脂材２３ａが流れ出て、流れ出た軟質弾性樹脂材２３ａが硬化して封止部２５が作製される。従って、従来例のように塗布工程、硬化工程を行う必要がなく、封止部２５を有するメス端子１０の製造効率が良い。
【００２７】
端子嵌合時には、必ず軟質弾性樹脂材２３ａによって封止部２５が作製されるため、封止材の塗布忘れが発生しない。
【００２８】
相手端子接続部２０は、オス端子４０が挿入される箱部２１を有し、箱部２１内に防食用封止体２３が配置されている。従って、箱部２１が防食用封止体２３を保護するため、オス端子４０が挿入される前（運搬時等）に誤って防食用封止体２３が破れる等の不具合を極力防止できる。
【００２９】
オス端子４０は、相手コネクタハウジング３１内に配置されているので、コネクタ嵌合作業によって封止部２５を作製できる。液状化した軟質弾性樹脂材２３ａは、コネクタハウジング２内を流れるので、コネクタハウジング２の外部が軟質弾性樹脂材２３ａで汚れることがない。
【００３０】
防食用封止体２３の設置位置は、タブ部４２がバネ接触部２２に接触した後に接触する位置である。従って、流れ出た軟質弾性樹脂材２３ａが端子接触箇所に不具合を引き起こす恐れがない。
【００３１】
この実施形態では、電線Ｗに防水栓６３を装着したので、ガルバニック腐食の発生が防水栓６３と封止部２５に双方によって防止できるため、ガルバニック腐食の防止性に優れたコネクタ１を提供できる。電線Ｗに防水栓６３を設けないメス端子１０としても良い。
【００３２】
封止部２５の作製は、上記したように、毛細現象等を利用して作製されるため、電線品種を問わずに作製可能である。
【符号の説明】
【００３３】
１，３０  コネクタ
２，３１  コネクタハウジング
３，３２  端子収容室
１０  メス端子（端子）
１１  電線接続部
２０  端子接続部
２１  箱部
２３ａ  軟質弾性樹脂材
２３  防食用封止体
２５  封止部
４０  オス端子（端子）
４２  タブ部（端子接続部）
６３  防水栓
Ｗ  電線
【図１】
2018198159.tif 000003
【図２】
2018198159.tif 000004
【図３】
2018198159.tif 000005
【図４】
2018198159.tif 000006
【図５】
2018198159.tif 000007